Podtech/llm-jp-corpus-v4-ja_patent huggingface dataset:
(57)【要約】【課題】組立式バーベキュー台の支持台に収納した炭置台を、上下できるようにし、着火初期時及び火の勢いが悪くなった時に、炭置台を下にして、煙突効果により着火を促進できるようする。また、炭置台を下にした状態で鍋を設置し、通常のバーベキュー料理のほかに鍋料理等もできるようにする。さらに、組立式とし、持ち運びに便利にする。【解決手段】箱型に組立てたバーベキュー台に支持ロッド（４）、炭置台（８）、炭（１０）をセットし、着火する。その後、取っ手（５）にて炭置台（８）を乗せた支持ロッド（４）を少し持上げ、スリット保持部より外して横にずらした後、下に移動する。自然通風による煙突効果にて炭（１０）に十分着火した後、炭置台（８）を乗せた支持ロッド（４）を持上げ、上部に保持する。その後、金網（９）をのせ、バーベキューを行う。バーベキューの他、鍋料理を行う場合は、炭置台（８）を下にセットした状態で、鍋（１１）をセットする。【選択図】          図１
2006145186.tif 000002
【特許請求の範囲】
【請求項１】
支持台に収納した炭置台を上下することにて、支持台を煙突として利用した、着火性に優れた多目的組立式バーベキュー台。
【発明の詳細な説明】
【技術分野】
【０００１】
本発明は、組立式バーベキュー台の支持台に収納した炭置台を、上下できるようにし、着火初期時及び火の勢いが悪くなった時に、炭置台を下にして、煙突効果により着火を促進できるようにしたものである。また、炭置台を下にした状態で鍋を設置し、通常のバーベキュー料理のほかに鍋料理等もできるようにしたものである。さらに、組立式とし、持ち運びに便利にしたものである。
【背景技術】
【０００２】
従来、バーベキュー台の炭への火おこしは、人が団扇等で扇いで着火を促進するもので、労力を要するものであった。また、簡単に、焼く、煮る等の多用途に対応できるバーベキュー台が無かった。
【発明の開示】
【発明が解決しようとする課題】
【０００３】
従来のバーベキュー台には、次のような問題があった。
イ  炭への火おこしは、人が団扇等で扇いで着火を促進するもので、労力を要するものであった。
ロ  バーベキュー台は、焼くことが主で、簡易に鍋を設置して煮る等の料理に対応できなかった。
本発明は、以上の問題を解決するためになされたものである。
【課題を解決するための手段】
【０００４】
支持ロッド上下用スリットに、熱風吹出し防止クロス（７）を取付けた側面支持台（２）と、空気取入口を加工した正面、背面支持台（１）を組立ボルト（３）にて固定し、箱型の支持台を組立てる。支持ロッド（４）をスリット上部保持部に挿入し、炭置台（８）をセットする。本状態で，炭（１０）を入れ、火をつけた後、取っ手（５）にて炭置台（８）を乗せた支持ロッドを少し持上げ、スリット保持部より外し、横にずらした後、下に移動する。本発明は、以上の構成よりなる煙突効果を利用した組立式多目的バーベキュー台である。
【発明の効果】
【０００５】
本発明を使用することによって、労力を使わず自然の煙突効果に依り、誰でも簡単に炭への着火ができる。また、バーベキューをしている途中で火の勢いが悪くなった場合、炭置台を下に移動することで煙突効果により火の勢いを良く出来る。さらに、炭置台を下にした状態で鍋をセットすれば、簡易に鍋料理等をすることが出来る。
【発明を実施するための最良の形態】
【０００６】
以下本発明の実施の形態を説明する。
イ  支持ロッド上下用スリットに、熱風吹出し防止クロス（７）を取付けた側面支持台（２）と、空気取入口を加工した正面、背面支持台（１）を組立ボルト（３）にて固定し、箱型に支持台を組立てる。
ロ  支持ロッド（４）をスリット上部保持部に挿入し、抜け落ち防止にナット（６）を取付け、炭置台（８）を上にセットする。
ハ  炭置台（８）に炭（１０）を入れ、火をつけた後、取っ手（５）にて炭置台（８）を乗せた支持ロッド（４）を少し持上げ、スリット保持部より外して横にずらした後、下に移動する。
ニ  自然通風による煙突効果にて炭（１０）に十分着火した後、炭置台（８）を乗せた支持ロッド（４）を持上げ、上部に保持する。
ホ  その後、金網（１１）をのせ、バーベキューを行う。
ヘ  さらに、火の勢いが悪くなった時、上記と同様にして炭置台を下にし、煙突効果により、着火を促進する。
【実施例１】
【０００７】
本発明は、次のように使用する。箱型に組立てたバーベキュー支持台に支持ロッド（４）、ナット（６）、炭置台（８）、炭（１０）をセットし、着火する。その後、取っ手（５）にて炭置台（８）を乗せた支持ロッド（４）を少し持上げ、スリット保持部より外して横にずらした後、下に移動する。自然通風による煙突効果にて炭（１０）に十分着火した後、炭置台（８）を乗せた支持ロッド（４）を持上げ、上部に保持する。さらに、金網（１１）をのせ、バーベキューを行う。
【実施例２】
【０００８】
バーベキューの他、鍋料理を行う場合は、炭置台（８）を下にセットした状態で、鍋（１１）をセットする。
【実施例３】
【０００９】
バーベキューをしない場合は、以下に示すよう、分解、収納し、持運びに便利なようにする。背面支持台（１）に側面支持台（２）、炭置台（８）、金網（９）を収納する。次に、正面支持台（１）をかぶせ、取っ手（５）、ナット（６）を取付けた支持ロッド（４）を穴に通して取付ける。その後、もう１つの取っ手（５）を装着し、ナット（６）を取付ける。
【図面の簡単な説明】
【００１０】
【図１】実施例１の説明図である。
【図２】実施例２の説明図である。
【図３】実施例３の説明図である。
【符号の説明】
【００１１】
１  正面，背面支持台
２  側面支持台
３  組立ボルト
４  支持ロッド
５  取っ手
６  ナット
７  熱風吹出し防止クロス
８  炭置台
９  金網
１０  炭
１１  鍋
【図１】
2006145186.tif 000003
【図２】
2006145186.tif 000004
【図３】
2006145186.tif 000005
(57)【要約】【課題】  用紙ジャム時に容易に用紙を取り除くことが可能な画像形成装置の定着装置を提供する。【解決手段】  定着装置３がガイドレール１０により手前に引き出すことが可能で、且つ加熱ローラ５と加圧ローラ６の上流に配された用紙ガイド４がシャフト８を軸中心に開閉でき、また加熱ローラ５と加圧ローラ６の下流に配された用紙ガイド７がシャフト９を軸中心として開閉できる構成とした。【選択図】図２
2006145841.tif 000002
【特許請求の範囲】
【請求項１】
一対の加熱ローラと加圧ローラと、
前記一対の加熱ローラと加圧ローラの上流に配され、用紙を前記一対の加熱ローラと加圧ローラに導く第一の用紙ガイドと、
前記一対の加熱ローラと加圧ローラの下流に配され、前記用紙の排出を補助する第二の用紙ガイドと、を有する画像形成装置の定着装置において、
前記定着装置にはガイドレールが配設され前記定着装置が前後方向に可動するとともに、  前記第一の用紙ガイドおよび前記第二の用紙ガイドを開閉可能にしたことを特徴とする画像形成装置の定着装置。
【発明の詳細な説明】
【技術分野】
【０００１】
本発明は、複写機、レーザービームプリンター等の画像形成装置に具備される定着装置に関するものである。
【背景技術】
【０００２】
周知の如く、画像形成装置の定着装置においては、用紙上に形成されたトナー画像を乱すことなく確実に一対の加熱ローラと加圧ローラに導くことを考慮し、前記一対の加熱ローラと加圧ローラの上流および下流に用紙ガイドを具備している。
【０００３】
そのため従来は図１の如く、転写装置２により搬送された用紙１は、定着装置３に固定された第一の用紙ガイド４により加熱ローラ５と加圧ローラ６に導き、さらに用紙１は加熱ローラ５と加圧ローラ６に挟送され、第二の用紙ガイド７に導かれながら次の装置（図示せず）に搬送するという方式が採られている。
【発明の開示】
【発明が解決しようとする課題】
【０００４】
しかしながら、前記のような手段においては、第一の用紙ガイドおよび第二の用紙ガイドは定着装置に固定されかつ可動しないため、一対の加熱ローラと加圧ローラの上流下流近傍にて用紙ジャムが発生した場合には、ジャム用紙を取り除くことが困難であった。
【０００５】
また、一対の加熱ローラと加圧ローラ近傍にて用紙ジャムが発生した場合でも、加熱ローラや第一の用紙ガイドおよび第二の用紙ガイドが邪魔となり、ジャム用紙を全て取り残すことなく掴んで引き抜くことが困難であった。
【課題を解決するための手段】
【０００６】
本発明は、一対の加熱ローラと加圧ローラと、前記一対の加熱ローラと加圧ローラの上流に配され、用紙を前記一対の加熱ローラと加圧ローラに導く第一の用紙ガイドと、前記一対の加熱ローラと加圧ローラの下流に配され、前記用紙の排出を補助する第二の用紙ガイドと、を有する画像形成装置の定着装置において、前記定着装置にはガイドレールが配設され前記定着装置が前後方向に可動するとともに、前記第一の用紙ガイドおよび前記第二の用紙ガイドを開閉可能にしたことを特徴とする。
【発明の効果】
【０００７】
本発明によれば、用紙ジャム時に容易に用紙を取り除くことが可能な画像形成装置の定着装置を提供することができる。
【発明を実施するための最良の形態】
【０００８】
以下、図１および図２を用いて本発明の一実施形態を説明する。図１において、本発明の画像形成装置は、用紙１を定着装置３に搬送する転写装置２、および一対の加熱ローラ５と加圧ローラ６と第一の用紙ガイド４と第二の用紙ガイド７、第一の用紙ガイド４の回転可動の軸となるシャフト８、第二の用紙ガイド７の回転可動の軸となるシャフト９を有する定着装置３、さらに定着装置３を前後に可動させるガイドレール１０から構成される。
【０００９】
用紙１は、ベルトを張った転写装置２により、定着装置３に搬送される。用紙１は第一の用紙ガイド４に接触しながら一対の加熱ローラ５と加圧ローラ６に導かれ、用紙１のトナー画像は加熱ローラ５と加圧ローラ６により用紙１に定着されながら、第二の用紙ガイド７に導かれ次の装置に搬送される。
【００１０】
ところで、用紙１が加圧ローラ６と第一の用紙ガイドや第二の用紙ガイドの隙間に入った場合には、図２のようにまずガイドレール１０により定着装置３を手前に引き出し、第一の用紙ガイド４または第二の用紙ガイド７を回転させ開くことによりジャム用紙を取り除くことができる。
【産業上の利用可能性】
【００１１】
一対の加熱ローラおよび加圧ローラの上流および下流に配されたガイド部材を開閉することにより、紙類の除去を容易にすることが必要不可欠な用途にも適用できる。
【図面の簡単な説明】
【００１２】
【図１】本発明による画像形成装置の定着装置の構成図である。
【図２】本発明によるジャム用紙除去時の画像形成装置の定着装置の構成図である。
【符号の説明】
【００１３】
１は用紙、２は転写装置、３は定着装置、４は第一の用紙ガイド、５は加熱ローラ、６は加圧ローラ、７は第二の用紙ガイド、８は第一のシャフト、９は第二のシャフト、１０はガイドレールである。
【図１】
2006145841.tif 000003
【図２】
2006145841.tif 000004
(57)【要約】【課題】  定着装置において、その清掃部材の交換作業を容易にするとともに、手袋等の使用を無くし作業性を改善したクリーニング装置を備えた定着装置を提供する。【解決手段】  用紙をローラ間で挟持搬送すると同時に、ローラ間の熱と圧力により印刷用紙上に転写された潜像を定着させる一対のローラと、圧縮空気による用紙剥離を行なう前記一対のローラに複数の剥離爪を設け、前記複数の剥離爪のローラ回転方向下流側に剥離爪幅より幅の広い複数の清掃部材と、前記複数の剥離爪と前記清掃部材との間に巻取り可能なシート状の清掃部材と、を有する定着装置において、前記複数の清掃部材を連結部品にて一体化し、脱着可能とした。【選択図】図１
2006145840.tif 000002
【特許請求の範囲】
【請求項１】
用紙をローラ間で挟持搬送すると同時に、ローラ間の熱と圧力により印刷用紙上に転写された潜像を定着させる一対のローラと、
圧縮空気による用紙剥離を行なう前記一対のローラに複数の剥離爪を設け、
前記複数の剥離爪のローラ回転方向下流側に剥離爪幅より幅の広い複数の清掃部材と、
前記複数の剥離爪と前記清掃部材との間に巻取り可能なシート状の清掃部材と、を有する定着装置において、
前記複数の清掃部材を連結部品にて一体化し、脱着可能としたことを特徴とする定着装置。
【発明の詳細な説明】
【技術分野】
【０００１】
本発明は、電子写真法を用いる複写機、レーザービームプリンター等の画像形成装置において最も一般的に用いられている熱ローラ型のトナー像定着装置、すなわち、印刷用紙上に転写されたトナー像と接触してトナーを加熱溶融させる定着ローラと、該定着ローラとの間で印刷用紙を挟圧して送る加圧ローラを備えた定着装置に関するものである。
【背景技術】
【０００２】
従来、図２に示すように剥離爪のトナー等の乗り越しによる印刷汚れ防止のための清掃部材８の交換は、１個づつホルダ９より取外し交換を行なっていた（例えば、特許文献１参照）。
【０００３】
【特許文献１】特開２００４−０２９０７９号公報
【発明の開示】
【発明が解決しようとする課題】
【０００４】
しかしながら、従来は清掃部材８が複数あるため、その交換が作業時間が長くなり、また直接清掃部材８を取外すために専用の手袋等を使用するなどしており、その作業性の改善が課題となっていた。
【課題を解決するための手段】
【０００５】
本発明は、用紙をローラ間で挟持搬送すると同時に、ローラ間の熱と圧力により印刷用紙上に転写された潜像を定着させる一対のローラと、圧縮空気による用紙剥離を行なう前記一対のローラに複数の剥離爪を設け、前記複数の剥離爪のローラ回転方向下流側に剥離爪幅より幅の広い複数の清掃部材と、前記複数の剥離爪と前記清掃部材との間に巻取り可能なシート状の清掃部材と、を有する定着装置において、前記複数の清掃部材を連結部品にて一体化し、脱着可能としたことを特徴とする。
【発明の効果】
【０００６】
本発明により、剥離爪用の清掃部材交換時に、清掃部材に直接触ることなく交換が可能であり、また清掃部材が複数有る場合でも一度に交換することが可能となる。
【発明を実施するための最良の形態】
【０００７】
複数の清掃部材を連結部品に取り付け、連結部品を定着装置に対し位置決めすることにより、清掃部材に直接触ることなく一度に複数の清掃部材を交換できるようにしたクリーニング装置を実現した。以下図面を参照して本発明の実施例を説明する。
【０００８】
図３において、電子写真法にて印刷用紙１上に形成されたトナー像Ｔは加熱ローラ２と加圧ローラ３により加熱・加圧されて印刷用紙１上に定着される。また、加熱ローラ２及び加圧ローラ３に付着したトナー４は、加圧ローラ３側のシート状の巻取り可能な清掃部材６により加圧ローラ３側より取り除かれる。また、剥離爪７に溜まった残留トナー５が加圧ローラ３側に付いて運ばれ清掃部材６を乗り越えた場合は、清掃部材８により加圧ローラ３より取り除かれる。
【０００９】
本発明では、図１に示すように従来個別に取り付けられていた清掃部材８を連結ホルダ１０に取付けて、１つ部品として交換するようにするとともに、連結ホルダ１０を定着装置側ホルダ９に位置決めするようにしたことにより、直接触ることなく複数の清掃部材８を一度に交換できるようにした。
【産業上の利用可能性】
【００１０】
交換を必要とする複数の清掃部材をもつ定着装置において、複数の清掃部材を１つにすることにより、交換容易化等の作業性の改善が可能である。
【図面の簡単な説明】
【００１１】
【図１】本発明の定着装置用清掃部材取り付け部の斜視図である。
【図２】従来の定着装置用清掃部材取り付け部の斜視図である。
【図３】定着装置の側面図である。
【符号の説明】
【００１２】
１は印刷用紙、２は加熱ローラ、３は加圧ローラ、４はトナー、５は残留トナー、６はシート状清掃部材、７は剥離爪、８は清掃部材、９はホルダ、１０は連結ホルダである。
【図１】
2006145840.tif 000003
【図２】
2006145840.tif 000004
【図３】
2006145840.tif 000005
(57)【要約】【課題】  用紙給送装置の開閉状態に関らず、常にＬＥＤ光を目視できる電子写真装置の用紙給送装置を提供する。【解決手段】  プリンター本体１２には、ロッドレンズ２に対向する位置にＬＥＤ光源１を、用紙給送装置２０には、プリンター本体１２に設けられたＬＥＤ光源１の発光部に対応させてロッドレンズ２をそれぞれ設けた。【選択図】図５
2006145839.tif 000002
【特許請求の範囲】
【請求項１】
本体に対し開閉自在に支持された複数の給紙トレイを有する電子写真装置の用紙給送装置において、
前記給紙トレイの側面には前記本体へ通じる光透過部材を設け、前記本体には前記光透過部材に対向する位置に光源を設けたことを特徴とする電子写真装置の用紙給送装置。
【請求項２】
前記光透過部材はロッドレンズであり、前記光源は発光ダイオードであることを特徴とする請求項１記載の電子写真装置の用紙給送装置。
【発明の詳細な説明】
【技術分野】
【０００１】
本発明は電子写真装置の用紙給送装置に関するものである。
【背景技術】
【０００２】
各種の機器の状態を表示するために、ＬＥＤ等の発光ダイオードによる点灯・点滅を直接外観に表示する構成はこれまでも数多く実用化されている。また、ＬＥＤが直接目視できない機器内部にある場合は、ロッドレンズを介して、外観に表示する方法が実用化されている（例えば、特許文献１参照）。
【０００３】
【特許文献１】特開平９−６３３３８号公報
【発明の開示】
【発明が解決しようとする課題】
【０００４】
しかしながら、これらの方法はＬＥＤ、及びＬＥＤ表示部が固定された状態でＬＥＤ光を目視可能とするための手段であり、厚みのある開閉可能なカバーや、可動可能な部材の外観にＬＥＤ光を透過させるためには、可動部材にＬＥＤを取り付ける必要があった。
【０００５】
また、可動部材にＬＥＤを取り付けた際には可動部材側に取り付ける部品が増えるという問題もあった。
【課題を解決するための手段】
【０００６】
本発明は、本体に対し開閉自在に支持された複数の給紙トレイを有する電子写真装置の用紙給送装置において、前記給紙トレイの側面には前記本体へ通じる光透過部材を設け、前記本体には前記光透過部材に対向する位置に光源を設けたことを特徴とする。
【０００７】
また、前記光透過部材はロッドレンズであり、前記光源は発光ダイオードであることを特徴とする。
【発明の効果】
【０００８】
本発明によれば、用紙給送装置の開閉状態に関らずＬＥＤ光源を目視できる。また、用紙給送装置の構造が簡略化され、取り付け部品の低減が可能となる。
【発明を実施するための最良の形態】
【０００９】
以下、本発明の実施例を図面を用いて説明する。
【００１０】
図１は電子写真装置の一実施例を示す全体構成図である。
【００１１】
図１において２０は用紙給送装置であり、図１の紙面に対し手前垂直方向へ引出し可能に設けられている。１４は感光ドラムを示し、感光ドラム１４が回転を開始すると、コロナ帯電器（図示せず）によって感光ドラム１４表面が均一に帯電される。次に帯電した感光ドラム１４には、上位より送信される画像信号に基づいたレーザー光が走査光学部１３より照射され、画像信号に対応した静電潜像が形成される。静電潜像は現像装置（図示せず）の位置に到達するとトナーによって現像され、感光ドラム１４上にトナー像として可視化される。こうして周知の電子写真プロセスにより形成されたトナー像は転写器１６により用紙給送装置２０から送り出されてきた用紙に転写される。
【００１２】
用紙上に転写されたトナーは定着装置１５により、用紙上に定着される。ゲート部材２２は用紙の搬送路を切り替え、定着装置１５から搬送されてきた用紙をそのまま排紙部へ搬送するか、反転ゲート部材２３側へ搬送するかを選択的に切り替える。反転ゲート部材２３側へ搬送された用紙は反転ゲート部材２３により一旦下方へ引き込まれ、その後、両面搬送路２４へと搬送される。
【００１３】
ゲート部材２５は、搬送路１９から搬送されてきた用紙を印刷搬走路１８へ送るか、両面搬送路２４から搬送されてきた用紙を印刷搬送路１８へ送るかを切り替える。両面搬送路２４から搬送されてきた用紙はゲート部材２５により再度印刷搬送路１８へ搬送される。両面搬送路２４を搬送される用紙は印刷されていない面が上面となっているので、前述のプロセスにより未印刷面への印刷が行われる。こうして両面印刷された用紙はゲート部材２２により案内され、排紙部へ排出される。
【００１４】
図２にＬＥＤ光源実装部の斜視図を示す。プリンター本体１２には、各用紙給送装置２０の使用表示および用紙残量表示等を示すためのＬＥＤ光源１が取り付けられている。図示しないが、ＬＥＤ光源１は、接続ケーブルにより制御基板に接続され、センサが各用紙給送装置の装填と、昇降テーブルの上昇位置を検出し、各用紙給送装置の状況に応じて点灯または点滅させている。
【００１５】
図３にロッドレンズ実装部の斜視図を示す。各用紙給送装置２０には、プリンター本体１２に設けられたＬＥＤ光源１の発光部に対応させてロッドレンズ２が保持部材３に保持され取り付けられている。
【００１６】
図４および図５に本発明の用紙給送装置の開閉状態を示した断面図を示す。図４に示すように、用紙給送装置２０をプリンター本体１２に装填した状態では、ロッドレンズ２はＬＥＤ光源１の上面と、わずかな隙間を空けて近接し、ＬＥＤ光はロッドレンズ２を介して、用紙給送装置２０の外観面に透過され、ＬＥＤ光が目視可能となる。
【００１７】
また、図５に示すように、用紙給送装置２０がプリンター本体１２から引き出された状態でも、ＬＥＤ光が直接目視可能となる。
【図面の簡単な説明】
【００１８】
【図１】電子写真装置の全体構成図である。
【図２】ＬＥＤ光源実装部の斜視図である。
【図３】ロッドレンズ実装部の斜視図である。
【図４】用紙給送装置が閉じた状態を示す断面図である。
【図５】用紙給送装置が開いた状態を示す断面図である
【符号の説明】
【００１９】
１はＬＥＤ光源、２はロッドレンズ、３は保持部材、１２はプリンター本体、１３は走査光学部、１４は感光ドラム、１５は定着装置、１６は転写剥離装置、１７はレジストローラ、１８は印刷搬送路、１９は搬送路、２０は用紙給送装置、２１は給送ローラ、２２はゲート部材、２３は反転ゲート部材、２４は両面搬送路、２５はゲート部材である。
【図１】
2006145839.tif 000003
【図２】
2006145839.tif 000004
【図３】
2006145839.tif 000005
【図４】
2006145839.tif 000006
【図５】
2006145839.tif 000007
(57)【要約】 【課題】郵便物の集荷及び郵政公社の広報のみの機能しか有しない郵便ポストに、広告媒体の機能も備え、広告掲載料として収入を得る。【解決手段】郵便ポストの本体及び屋根部分に広告を掲載するスペースを設置して、その媒体管理をコンピュータで行う。【選択図】  図１
2006145822.tif 000002
【特許請求の範囲】
【請求項１】
郵便ポストの正面、側面、背面、及び、屋根部分を利用して郵便ポストを所有する、あるいは管理する者以外の広告を設置表示する。
【請求項２】
郵便ポストの正面、側面、背面、及び、屋根部分に設置表示する広告の掲載と媒体機能をコンピュータで管理する。
【請求項３】
郵便ポストに広告を掲載し、広告主より広告掲載料を徴収する。
【発明の詳細な説明】
【技術分野】
【０００１】
本発明は、郵便ポストの上部と本体を広告媒体として有効活用するものとし、広告料金を収入として広告主から依頼された広告を設置表示する。全国に有る郵便ポストの所在場所、広告の設置期間等のスケジュール、広告主、広告料金、他をコンピュータで管理する広告付郵便ポストに関するものである。
【背景技術】
【０００２】
従来の郵便ポストは郵便物の投函と集荷並びに郵政公社の広報のみの使用しかされていない。
【発明の開示】
【発明が解決しようとする課題】
【０００３】
解決しようとする問題点は、郵便ポストは郵便物の投函と集荷並びに郵政公社の広報のみにしか使用されていない。したがって全国いたる所にあり万人の目に触れると言う利点を持ちながら、広告媒体としての機能を有していないため、広告掲載料としての収入が得られないという問題点である。
【課題を解決するための手段】
【０００４】
本発明は、このような従来の問題を解決しようとするもので、広告場所の確保が容易に出来て、尚かつ郵便ポストの上部と本体を有効に利用する事で広告情報の伝達を多くの人々に提供する事ができ、広告掲載料として収入を得る事が出来る。
【０００５】
本発明は、郵便ポストの上部空間と本体に広告を表示し、広告収入を得る事と広告の設置期間等のスケジュール、広告主、広告掲載料金、他膨大な量の広告媒体データもコンピュータで管理することにより上記課題を解決したものである。
【発明の効果】
【０００６】
本発明によれば、郵便物の集荷及び郵政公社の広報のみの機能しか有しない郵便ポストが、広告媒体の機能も備え、広告掲載料として収入を得ることができる。
【０００７】
郵便ポストの広告期間・広告掲載料金・広告主・設置場所等をデータベース化しコンピュータ管理するので全国に点在する広告媒体としての広域管理が容易になる。
【発明を実施するための最良の形態】
【０００８】
本発明の郵便ポストの広告は、図１に示されるように、郵便ポストの上部、屋根部分の空間と郵便ポスト本体に広告を設置表示する。
【実施例１】
【０００９】
図１に示すように、郵便ポスト本体１に広告掲載スペース２及び屋根部分に設置する広告スペース３を設け、このスペースに広告を掲載する。
【実施例２】
【００１０】
広告主は郵便ポストの所有者あるいは管理者または郵政公社へ広告掲載料を支払い、郵便ポストの所有者あるいは管理者または郵政公社は広告収入を得る。
【実施例３】
【００１１】
全国に設置されている郵便ポストを全て、あるいはその一部をコンピュータにてデータベース化し、個体、地区、料金、体型、広告主、掲載期間、契約代理店、その他、区別できる手段で管理する。
【図面の簡単な説明】
【００１２】
【図１】本発明による、広告を表示する郵便ポストと広告掲載スペースを表した外観図である。
【符号の説明】
【００１３】
１・・・郵便ポスト
２・・・広告掲載スペース
３・・・屋根部分に設置する広告スペース
【図１】
2006145822.tif 000003
(57)【要約】【課題】  従来は、病院から貰った薬を袋から出して箱に小分けしてその都度薬を飲んでいたが、薬の飲み忘れ、また、薬の２度、飲みなどと、間違いがあり、困ったことが度々あった。【解決手段】  病院から貰ってきた薬が月をまたがっても、１つの万年カレンダーで済むようにし、月日、曜日が手探りでも解るプレートでできてある、また、あさ、ひる、よる、ねるまえ、の薬入れはビニールなので薬が透き通って見えるので薬の飲み間違えがなく、旅行にも持って行ける、カレンダーには、保険証入れ、予備ポケットがついてある、色で見る万年カレンダー薬入れである。【選択図】図１
2006330652.tif 000002
【特許請求の範囲】
【請求項１】
一つの万年カレンダーを、色分け薬入れにし、１週ごとに分解もでき、旅行用にも小分けできる、また、年号、月日は、盲目でも解るようになってあるプレートでできてあり、交換できるようになっている、薬の飲み忘れ防止を特徴とする、色でかんたんに解る万年カレンダー薬入れ。
【請求項２】
前記、色でかんたんに解る万年カレンダー薬入れは、布にビニールを縫いつけた薬入で、薬が透けて見え、週ごとに色分けしてあり、保険証や予備薬入れ用のポケットを付けた、薬の飲み忘れ防止カレンダーを特徴とする、色でかんたんに解る万年カレンダー薬入れ。
【発明の詳細な説明】
【技術分野】
【０００１】  本発明は、薬の飲み間違えを、防止する色でかんたんに解る万年カレンダー薬入れに関する。
【背景技術】
【０００２】  従来の薬の飲み方は病院から貰った薬を袋から出し、箱に小分けして入れて置いた。
【発明の開示】
【発明が解決しようとする課題】
【０００３】  以上に述べた従来の薬の保管では、薬の飲み忘れや、夜と寝る前に飲む薬が解らなくなり、２度に飲んで薬が足りなくなってしまい困ったことがあった。【０００４】  本発明は、このような従来の薬の飲み忘れや、飲みすぎ防止を解決し、盲目でも月日、曜日が解り旅行にも持っていける、色でかんたんに解る万年カレンダー薬入れを、提供する課題とする。
【課題を解決するための手段】
【０００５】  以上の課題を解決するために、第一発明は、布の上にビニールを縫い付け、月日、休日、を盲目でも解るように文字が浮き出ている交換プレートにし、図２−４、図２−ｂに示す、プレート幅に縫い、ビニールに図２−８、図２−ａ、切り込みを入れプレートが交換できるようにした、また、１週間に色分けした、図４透けて見える、あさ、ひる、よる、ねるまえ、と４つに分けた薬入れ、色でかんたんに解る万年カレンダー薬入れである。【０００６】  第二発明によれば、色でかんたんに解る万年カレンダー薬入れには、図１−１０、保険証や予備薬入れポケットが付いてあり、また、図４、は１日分ずつ小分けできる薬入れなので旅行にも持って行ける色でかんたんに解る万年レンダー薬入れである。【０００７】  第三発明は、色分け万年カレンダー薬入れは、１ヶ月分の薬入れを、１週間分の薬入れ５つと万年カレンダーに分解できる色でかんたんに解る万年カレンダー薬入れである。
【発明の効果】
【０００８】  第一発明、第二発明、第三発明によれば、万年カレンダーなので、次の月も解り、薬入れが１週間に色分けしてあるので見やすく、薬が透けて見えるので飲み忘れや、２度飲み防止に効果がある。【０００９】  また、病院から貰った薬が次の月になった場合でも一枚の、色でかんたんに解る万年カレンダー薬入れに、盲目でも解るよう数字が浮き出ている、月のプレートを２つ使えばよい、図１−２、図１−３、図３−Ｂに示す。
【発明の実施するための最良の形態】
【００１０】  以下、本発明の実施の形態を図１〜図５に基づいて説明する。
【００１１】  図１は全体の実施形態で、図１−１は、カレンダーの引っ掛け棒であり、図１−９は引っ掛け棒押さえである、また、色でかんたんに解る万年カレンダー薬入れは６つに分解できる。
【００１２】  図１−２、図１−３は、月を挟むクリップである、図３−Ｂは１２ヶ月分のブレートで、盲目でも解るように数字が浮き出ている。
【００１３】  図１−４、または、図３−Ｃは、３１日分のプレートで、文字が浮き出てあり、日曜、祭日は、赤で色分けしてある。
【００１４】  図１−６は日曜日から土曜日まで、文字が浮き出てあり、７つで色分けしてある。
【００１５】  図１−８、図３−Ａは年号で、文字が浮き出てあるプレートでできてあり、交換できる。
【００１６】  図１−５、図２−５、図４はビニールと布でできているあさ、ひる、よる、ねるまえ、の薬入れで、取り外しができ、１週間の色分けしてあり、旅行にも持って行ける。
【００１７】  図１−７、図２−７、図６は色で見る万年カレンダーである、知りたい月と年号が合った色が、知りたい月である。
【００１８】  図２−４、図２−ｂは、プレートに合わせ縫ってあり、図２−８、図２−ａは、プレートを交換するため、ビニールに切り込みを入れてある。
【００１９】  図１−１０、図２−１０は、予備プレート、薬入れ、保険証、等のポケットである。
【実施形態の効果】
この実施形態によれば、薬は、透き通って見え、あさ、ひる、よる、ねるまえ、と見やすく、盲目でも解り、１週間用から、１ヶ月用まで、５週間に分けることができる万年カレンダーに、予備薬や、保険証も入るポケットを付け、また、旅行にも持って行ける、色でかんたんに解る万年カレンダー薬入れである。
【図面の簡単な説明】
【００２０】
【図１】本発明の実施形態を示す、色でかんたんに解る万年カレンダー薬入れの斜視図
【図２】図１−１５、図２−１５は、一週間用薬入れで、図１−７色で見る万年カレンダーを合わせた図である、また、図２−ｃ図２−ｄ、は、マジックーテープなので簡単に取り外しができる、色でかんたんに解る万年カレンダー薬入れ図
【図３】Ａは年号、Ｂは月、Ｃは日にちである、盲目でも解る用文字が浮き出ているプレート図
【図４】１日分の薬入れで布に図４−１１ビニールを縫い付け、薬が透き通って見える、また、図４−１２、図４−１３はマジックテープ、図４−１４は薬入れの裏で布でできている
【図５】図４に薬を入れ、３つに折った図
【図６】色で見る万年カレンダーの図
【符号の説明】
【００２１】  １カレンダーの引っ掛け棒
２、３プレートの月を挟むクリップ
４盲目でも解る日にちプレート
５あさ、ひる、よる、ねるまえ、の薬入れ
６盲目でも解る曜日プレート
７色で見る万年カレンダー
８盲目でも解る年号プレート
９引っ掛け棒止め
１０ポケット
１１ビニール
１２、１３、ｃ、ｄ、マジックテープ
１４薬入れの裏
１５一週間用薬入れ
【図１】
2006330652.tif 000003
【図２】
2006330652.tif 000004
【図３】
2006330652.tif 000005
【図４】
2006330652.tif 000006
【図５】
2006330652.tif 000007
【図６】
2006330652.tif 000008
(57)【要約】      （修正有）【課題】建築用看板シートにより多くの情報を記載する手段及び情報保護用として提供する。【解決手段】建築用看板シート１の見易い位置に広告、間取り、坪単価、会社などの情報が含まれたＱＲコード２を付けた。【選択図】  図１
2006330654.tif 000002
【特許請求の範囲】
【発明の詳細な説明】
【技術分野】
【０００１】      この発明は建築用看板シートにＱＲコード（２次元コード）を付けた建築用看板シートに関する物である。
【背景技術】
【０００２】      従来、建築用シートには建築の工務店及び施工業者の名前入りがあった。
【発明の開示】
【０００３】      これは次のような欠点があった。      （イ）建設中の家の外周に保護シートとしての役目のみであった。      （ロ）建設屋の名前またはロゴ（イラスト）しか入ってなかった        本発明は、これらの欠点を除く為になされたものである。
【課題を解決する為の手段】
【０００４】      建築用看板シートの見易い位置にＱＲコードを付けたものである。      本発明は以上のような構成よりなるＱＲコード付建築用看板シートである。
【発明の効果】
【０００５】      本発明は以上のような構造で、これを使用する時は携帯電話の読取装置を使い読み取ればＱＲコードの中の情報（広告・間取り・坪単価・会社のデータ等）を読み取ることが出来る。
【発明を実施する為の最良の形態】
以下、本案の実施の形態について説明する。    （イ）看板シートの見易い位置にＱＲコードを付ける    本案を使用する時はＱＲコードに向け携帯電話の読取装置を使用すれば中の情報（広告・間取り・坪単価・会社のデータ等）を読み取ることが出来る。
【図面の簡単な説明】
【０００７】
【図１】本発明のＱＲコードを付けた斜視図である。
【図２】本発明のＱＲコードを付けた表面図である
【０００８】    １  建築用看板シート    ２  ＱＲコ−ド
【図１】
2006330654.tif 000003
【図２】
2006330654.tif 000004
【手続補正書】
【提出日】平成17年8月4日(2005.8.4)
【手続補正１】
【補正対象書類名】特許請求の範囲
【補正対象項目名】全文
【補正方法】追加
【補正の内容】
【特許請求の範囲】
【請求項１】
ＱＲコードを付けた建築用看板シート
(57)【要約】      （修正有）【課題】テレビジョン受像機の画面は液晶パネルや、プラズマの普及により薄くなっている。それに伴い従来、テレビの上を写真や、人形等の物置としていたが、それがむつかしくなっている。そこで、薄型テレビにおいて従来通りに飾りや写真を乗せる事を可能にする事が望まれる。【解決手段】受像機に予め面積の大きい天板を備えておき、受像機を設置する時に顧客の希望に応じて拡大した天板を装備できる。【選択図】図−１
2006330653.tif 000002
【特許請求の範囲】
【請求項１】
使用、設置時に回転させて既存の天板の上部に重ねて面積を広くする薄型ディスプレー。
【請求項２】
収納時に前面ディスプレー部に折りたたみ、使用時に回転させて上部天板部に重ねて固定して、天板の面積を拡大する拡大天板を装備したディスプレー。
【請求項３】
ディスプレー本体に天板を回転させる時の腕をその時に支点となる部分を着脱可能なクランプで固定するディスプレー。
【請求項４】
周囲にフランジを設けた拡大天板を設けた薄型ディスプレー。
【請求項５】
拡大した天板を設置後マジックテープでディスプレーに固定する薄型ディスプレー。
【発明の詳細な説明】
【技術分野】
【０００１】この発明は液晶パネルや、プラズマディスプレーパネル等を使用した薄型ディスプレーに関するものである。
【背景技術】
【０００２】テレビジョン受像機や、パソコンのディスプレー等のディスプレーは、液晶パネルや、プラズマディスプレー等を使用した物が普及して来た。それに伴いディスプレーの厚さは薄くなって来た。しかし、従来から家庭におけるテレビジョン受像機は、調度品としての機能もあり、上に飾り物や、写真等を置く事が慣習となっている。ところが受像機が薄くなると、これらの飾り等を置くスペースが失なわれてしまう。
【発明が解決しようとするための課題】
【０００３】本、発明はこの欠点を除くものである。
【発明が解決しようとする手段】
【０００４】予めディスプレーの筐体の天板より広い板を装備しておき、ディスプレーを設置する時に使用者の要望により、天板を広くできるディスプレーである。
【発明を実施するための最良の形態】
【０００５】以下、本発明の実施の形態について説明する。（イ）図−１は本発明の構造図の正面図である。（ロ）拡大天板（２）はディスプレー（１）の既存の天板の広さより広くて周囲にフランジ（１０）を有した物をアーム（７）でクランプ（３）によりシャフト（４）を介してディスプレー（１）に装備しておき、梱包時には拡大天板（２）を前面に倒しておく。（ハ）ディスプレー（１）を設置する時に拡大天板（２）を回転させてアーム（７）の位置をクランプ（３）の位置で調節して、広い天板が上になるようにする。（ニ）位置が決定した時に拡大天板（２）に付属のマジックテープ（８）でディスプレー（１）に固定する。（ホ）本発明の天板を取り付けられる受像機の取り扱い説明書にはこの天板には重量の大きい物や、液体の入った物を乗せないように又、移動させる時にはこの部分を持たないように注意を喚起する文章を記載するようにする。又、天板にも同様の注意ステッカーを貼る。
【発明の効果】
【０００６】テレビジョンや、ビデオを鑑賞する環境をなごやかにできる。
【図面の簡単な説明】
【図１】は本発明の正面図であり、
【図２】は側面図である。１テレビジョンディスプレー２拡大天板３クランプ１４シャフト１５シャフト２６クランプ２７アーム８クランプ３９マジックテープ１０フランジ１１Ｌアングル１２割りピン
【図−１】
2006330653.tif 000003
【手続補正書】
【提出日】平成17年8月31日(2005.8.31)
【手続補正１】
【補正対象書類名】図面
【補正対象項目名】全図
【補正方法】変更
【補正の内容】
【図１】
2006330653.tif 000004
【図２】
2006330653.tif 000005
(57)【要約】【課題】建物の美観を損なわず、夜間視認性にも優れるガラス衝突防止安全マークを提案する。【解決手段】金属質光輝材とこの金属質光輝材の一部に設けられた蓄光性蛍光材からなり、板ガラスの表面に貼着されるようになされており、夜間の停電時などにも蓄光性蛍光材が発光し視認性に優れる。又、昼間や照明のあたっている間は、金属質光輝材が視認され、通行者が板ガラスに衝突するのを防止するとともに、夜間の停電時などには、蓄光性蛍光材が発光し視認性に優れる。又、発光に電力などが不要で、メンテナンスの必要がない。【選択図】        図１
2006330531.tif 000002
【特許請求の範囲】
【請求項１】
ガラス衝突防止安全マークは、金属質光輝材とこの金属質光輝材の一部に設けられた蓄光性蛍光材からなり、板ガラスの表面に貼着されるようになされたことを特徴とするガラス衝突防止安全マーク。
【発明の詳細な説明】
【技術分野】
【０００１】
本発明は、主として建物の出入り口やその周辺の壁として設けられた大型の板ガラスに通行人が誤って衝突するのを防ぐためのガラス衝突防止安全マークに関する。
【背景技術】
【０００２】
【特許文献１】特開２００３−８４７０２号公報  従来、ガラス衝突防止の手段としては、赤色などの視認性の高い色の紙を板ガラスに貼付したり、塗料などでガラス表面に文字や図形を描いたものが知られている。  又、特開２００３−８４７０２号公報には、表裏両面に注意喚起面部としてステンレスの表裏両面を鏡面を設けたマーカー本体と、このマーカー本体の一方の注意喚起面部に一方の粘着面が固着し、他方の粘着面を大板ガラス面に固着させる透明両面粘着シートとから成る衝突防止用ガラスマーカーが提案されている。又、両面にＬＥＤを実装したプリント配線基板を内装する透明樹脂ケースで構成され、ＬＥＤが投光するケース表裏面を注意喚起面部とした衝突防止用ガラスマーカーが提案されている。
【発明の開示】
【発明が解決しようとする課題】
【０００３】
しかしながら上記の如き赤色などの視認性の高い色の紙を板ガラスに貼付したり、塗料などでガラス表面に文字や図形を描いたもの通行人の視認性を上げようとすると建物の美観を損ない易いという問題があった。又、特開２００３−８４７０２号公報に提案されている、表裏両面に注意喚起面部としてステンレスの表裏両面を鏡面を設けたマーカー本体と、このマーカー本体の一方の注意喚起面部に一方の粘着面が固着し、他方の粘着面を大板ガラス面に固着させる透明両面粘着シートとから成る衝突防止用ガラスマーカーでは視認性に優れ美観も損なわないものの、夜間の停電時などに視認性に劣るという問題があった。又、両面にＬＥＤを実装したプリント配線基板を内装する透明樹脂ケースで構成され、ＬＥＤが投光するケース表裏面を注意喚起面部とした衝突防止用ガラスマーカーにおいては、夜間視認性に優れるものの電池の交換を忘れると機能しないという問題があった。
【０００４】
そこで本発明者は従来の欠点に鑑み鋭意研究の結果、建物の美観を損なわず、夜間視認性にも優れるガラス衝突防止安全マークを提案するものである。
【課題を解決するための手段】
【０００５】
本発明請求項１記載のガラス衝突防止安全マークは、金属質光輝材とこの金属質光輝材の一部に設けられた蓄光性蛍光材からなり、板ガラスの表面に貼着されるようになされており、夜間の停電時などにも蓄光性蛍光材が発光し視認性に優れる。本発明における金属質光輝材としては、ステンレス鋼などの表面を研磨したものでもよいし、合成樹脂成型品の表面にクロムやニッケルなどのメッキを施したものでもよい。ガラス衝突防止安全マークと板ガラスの貼着は接着剤の塗布など適宜手段によればよいが、両面接着テープが好適に用いられる。
【発明の効果】
【０００６】
上述の如く、本発明ガラス衝突防止安全マークは、金属質光輝材とこの金属質光輝材の一部に設けられた蓄光性蛍光材からなり、板ガラスの表面に貼着されるようになされており、夜間の停電時などにも蓄光性蛍光材が発光し視認性に優れる。又、昼間や照明のあたっている間は、金属質光輝材が視認され、通行者が板ガラスに衝突するのを防止するとともに、夜間の停電時などには、蓄光性蛍光材が発光し視認性に優れる。又、発光に電力などが不要で、メンテナンスの必要がない。
【発明を実施するための最良の形態】
【０００７】
以下、図面を参照しながら本発明に付いて説明する。
図１は本発明ガラス衝突防止安全マークの実施形態の一例を示す正面図であり、図２は図１のＡ−Ａ断面図である。基部は表面研磨されたステンレス鋼板からなり金属質光輝材となされている。金属質光輝材の中央に蓄光性蛍光材が設けられている。この例においては、蓄光性蛍光材は、塗料として基部の中央に塗布されている。基部の裏面には両面テープなどが設けられ、板ガラスの表面に貼着されるようになされている。
【０００８】
図３は本発明ガラス衝突防止安全マークの実施形態の第２の例を示す正面図であり、図４は図３のＢ−Ｂ断面図である。図において、蓄光性蛍光材は、有底円筒状に成形された合成樹脂製で、この合成樹脂に蓄光剤が混練されている。金属質光輝材は、表面研磨されたステンレス鋼板からなり、蓄光性蛍光材の凹部に設けられている。又、蓄光性蛍光材の裏面には、両面テープなどが設けられ、板ガラスの表面に貼着されるようになされている。
【０００９】
蓄光性蛍光材を構成する蓄光剤としては、硫化亜鉛や、それに銅を配合した等の硫化系のものを用いてもよいが、酸化アルミ、酸化ホウ素、酸化ストロンチウム等の酸化物を主体とし、それにユーロピューム等の希土類を配合した酸化系ものが、安全性、化学的な安定性、耐熱性、発光時間の長さ等において利点があり好ましい。とりわけアルミン酸系ストロンチウム系の蓄光性蛍光物質は発光輝度及び発光時間が長く好適に用いることができる。蓄光性蛍光物質は、熱可塑性合成樹脂１００重量部に対し、１０〜２０重量部程度配合することで、成形性に悪影響を及ぼすことなく十分な発光輝度を得ることができる。
【００１０】
又、蓄光剤が混練される合成樹脂としては、ＡＢＳ樹脂、ポリエチレン、ポリプロピレン、ポリスチレン、アクリル樹脂、ポリ酢酸ビニル、ポリ塩化ビニル、ポリ塩化ビニリデン、ポリカーボネート、ポリエチレンテレフタレート、ポリブチレンテレフタレート、ポリエチレンナフタレート、ポリフェニレンサルファイド、ポリアミド、ポリウレタン、エラストマーやその誘導体等適宜用いられる。
【００１１】
金属質光輝材としては、前記の例では、ステンレス鋼板の表面を研磨したものを例示したが、これに限るものではなく、銅板やニッケル板などの他の金属板が用いられてもよいし、合成樹脂成型品に金属メッキが施されたもの等が適宜用いられればよい。
【図面の簡単な説明】
【００１２】
【図１】本発明ガラス衝突防止安全マークの実施形態の一例を示す正面図である。
【図２】図１のＡ−Ａ断面図である。
【図３】本発明ガラス衝突防止安全マークの実施形態の第２の例を示す正面図である。
【図４】図３のＢ−Ｂ断面図である。
【符号の説明】
【００１３】
１    金属質光輝材
２    蓄光性蛍光材
【図１】
2006330531.tif 000003
【図２】
2006330531.tif 000004
【図３】
2006330531.tif 000005
【図４】
2006330531.tif 000006
(57)【要約】      （修正有）【課題】電力を必要とせず、自然に動く回転式看板をもつ広告塔において、急激な風速や風向きの変化に対応できる広告塔を提供する。【解決手段】垂直軸回転するタワー状の広告塔にあって、回転体２と中心から複数方向に放射状に伸びた支持アーム３で構成され、支持アームの先に可動翼４がフック７で取り付けられている。風上側で風圧を受け回転力を得、風下側で風を受け流す構造のため、どの方角からの風に対しても回転力を得、大きく外側へ翻る動きを伴う表現が可能である。また急な強風時には、遠心力を利用して全体の受風機構を折りたたむ事が出来る。【選択図】図１
2006330139.tif 000002
【特許請求の範囲】
【請求項１】
垂直軸回転の広告塔であって、中心から放射状で複数方向に伸びた支持アームに、風を受ける帆が風上側で風を受け、風下側で風を受け流す可動翼で回転する構造を持つ事を特徴とする回転広告塔。
【請求項２】
強風等により突然回転が速くなった時、一定の限度を超えると支持アームに取り付けたバランサーが遠心力によって外側へ押し出されて支持アームのロックを解除し傘をたたむように放射状に伸びた支持アームを一つの方向へまとめ風圧を回避することを特徴とする回転広告塔。
【発明の詳細な説明】
【技術分野】
【０００１】
本発明は、風によって回転するタワー型広告塔の運動機構に関する。
垂直軸回転の広告塔であって、回転軸中心から放射状で複数方向に伸びた支持アームに、風を受ける帆が風上側で風を受け、風下側で風を受け流す可動翼を広告媒体として文字情報や画像情報を掲載し、回転する動きを伴う為アイキャッチ効果を高めた動く広告塔であるが、強風時には回転数が高くなり可動翼に掲載された文字情報や画像情報が見えにくくなったり、タワー本体が破損するという技術的な問題があった。
本発明は、これを解決する手段に関するものである。
【背景技術】
【０００２】
従来、アイキャッチを良くする為にタワー型の広告塔を電動機等により一定の速度で回転させ、複数の面に掲載されたメッセージを行き交う自動車などの乗員に伝えるような広告が行われてきた。
【０００３】
都市空間というより郊外独立型の広告塔に多くこれ等の方法が採用されてきたが、回転する動力を得る為に長い送電線を引くなどの工事や、年間を通じて多くの電力料金の負担が必要になる等、広告主側にとっては必ずしも費用対効果が万全ではないところがあった。
【発明の開示】
【発明が解決しようとする課題】
【０００４】
本発明が解決しようとする課題は、従来のこれらの問題点を解消し電力を必要としない独立型の広告塔を提供し、風力で自然に動く可動翼に掲載されたメッセージのアイキャッチ効果を高めることである。
【０００５】
併せて、風速や風向きがたびたび変化する日本国内にあっては、回転体を垂直軸回転とし、回転軸中心から放射状で複数方向に伸びた支持アームに、風を受ける帆が風上側で風を受け、風下側で風を受け流す可動翼によって回転力を得ることで、プロペラ方式のように風の方向に直角に振り向ける必要をなくし、急激に風が強くなったとき風圧からいかに退避するかが課題である。
【課題を解決するための手段】
【０００６】
従来の回転式広告塔の構造を、回転体と、中心から複数方向で放射状に伸びる支持アームで構成し、アームの先にデザインされた帆がフックにより吊り下げられたものにすることで、風上側で帆が閉じてアームを覆い回転力を得、風下側で風に押されて帆は翻り更に回転力を得ると同時に、この大きな動きの為デザインされた帆に視線を引き付けることを可能とした風力利用回転広告塔を提供する。
【０００７】
回転体を垂直軸回転とし回転軸中心から複数方向で放射状に伸びた支持アームに、風を受ける帆が風上側で風を受け、風下側で風を受け流すことによって回転力を得ることで、プロペラ方式のように風の方向に直角に振り向ける必要がなくなり、急激に風が強くなった時にはアーム上にセットしたバランサーが遠心力で外側へ押され、傘をたたむ要領で放射状に伸びたアームを一つにまとめ、風圧から退避することができるようにした前記１）の風力利用回転広告塔。
【発明の効果】
【０００８】
本発明では、従来の回転式広告塔の構造を、回転体と、中心から複数方向に放射状に伸びる支持アームで構成し、アームの先にデザインされた帆がフックにより吊り下げられたものにすることで、風上側で帆が閉じてアームを覆い回転力を得、風下側で風に押されて帆は翻り更に回転力を得ると同時に、この大きな動きの為デザインされた帆に視線を引き付ける効果を高めたことが特徴である。
【発明を実施するための最良の形態】
【０００９】
本発明は、従来の回転式広告塔の構造を、回転体と、中心から複数方向に放射状に伸びる支持アームで構成し、アームの先にデザインされた帆がフックにより吊り下げられたものにすることで、風上側で帆が閉じてアームを覆い回転力を得、風下側で風に押されて帆は翻り更に回転力を得ると同時に、この大きな動きの為デザインされた帆の両面(表裏)に視線を引き付けることを可能にした為、広告・看板のイメージを大きく転換し動きを伴う表現(漫画でいう動画)ができるようになった。
【実施例】
【００１０】
以下、本発明の実施例を図面に基づいて説明する。郊外に独立した回転式の広告塔が設置されている例である。
【００１１】
図１は実施例の立面図及び平面図である。
【００１２】
図中１は広告塔の支柱、２は回転体、３は支持アーム、４は帆(可動翼)、５はバランサー、６は折りたたみ用フック、７は帆取付け用フックである。
【００１３】
この実施例では、弱い風(風速２〜３m/s)の時ゆっくり回転している、３アーム型広告塔の瞬間を描いた例である。
【産業上の利用可能性】
【００１４】
以上の様に本発明によれば、電力などの動力に頼ることなく風力を利用して広告塔を回転させることができ、緩やかな帆の動きが人目を引き付ける為ここに広告のメッセージを掲載することで効果的な広告宣伝を行う事ができる。
【００１５】
また、帆の両面を使うことができる為、動きのある表現(漫画でいう動画効果)が期待できる。
【図面の簡単な説明】
【００１６】
【図１】実施例の立面図及び平面図である。
【符号の説明】
【００１７】
１    広告塔支柱
２    回転体
３    支持アーム
４    帆(可動翼)
５    バランサー
６    折りたたみ用フック
７    帆取付け用フック
【図１】
2006330139.tif 000003
(57)【要約】【課題】リモートコントローラ、キーボードスイッチ、マウスに抗菌剤入り樹脂を用いられていた。  しかしなが医療現場でよく使用されるパーソナルコンピュータに用いられるキーボードのキーボードカバーを抗菌剤入り樹脂で成型したものは無かった。そこで本発明は抗菌剤入り樹脂によるパーソナルコンピュータ用キーボードのキーボードカバーの供を課題とする。【解決手段】パーソナルコンピュータ用キーボードのキーボードカバーを抗菌剤入り樹脂で成型する。【選択図】図１
2006330954.tif 000002
【特許請求の範囲】
【請求項１】
パーソナルコンピュータ用キーボードのキーボードカバーにおいて、抗菌剤入り樹脂で成型したことを特徴とするキーボードカバー。 
【発明の詳細な説明】
【技術分野】
【０００１】
パーソナルコンピュータ用キーボードのキーボードカバーに関する。
【背景技術】
【０００２】
開示した公知技術のように、リモートコントローラ、キーボードスイッチ、マウスに抗菌剤入り樹脂を用いられていた。
【特許文献１】特開平9-46055
【発明の開示】
【発明が解決しようとする課題】
【０００３】
公知の技術ではパーソナルコンピュータ用キーボードのキーボードカバーに用いることには言及していない。  そこで本発明は抗菌剤入り樹脂によるパーソナルコンピュータ用キーボードのキーボードカバーの提供を課題とする。    
【課題を解決するための手段】
【０００４】
パーソナルコンピュータ用キーボードのキーボードカバーを抗菌剤入り樹脂で成型する。    
【発明の効果】
【０００５】
医療現場で使用されるパーソナルコンピュータ等に本発明によるキーボードカバーを用いれば、院内感染防止など期待できる。  
【発明を実施するための最良の形態】
【０００６】
図１は本発明によるパーソナルコンピュータ用キーボードのキーボードカバーである。  本カバーは抗菌剤入り樹脂で成型する。        
【０００７】
図２は一般的なパーソナルコンピュータ用キーボードである。本発明によるカバーはこのようなキーボードに被せ、誤操作等を防止する。    
【図面の簡単な説明】
【０００８】
【図１】・・・本発明によるキーボードカバー
【図２】・・・一般的なパーソナルコンピュータ用キーボード
【図１】
2006330954.tif 000003
【図２】
2006330954.tif 000004